Podtech/llm-jp-corpus-v4-ja_patent huggingface dataset:
(57)【要約】【課題】バイオマス資源のペレット汎用の有効活用からバイオマス資源のペレット化への注目がある。ペレット製造法は高額な設備投資を押さえ、比較的簡単な装置を用い、大量生産することができ、過程で得られるペレットに汎用・諸効果のあることを特徴とした。【解決手段】本発明は、上記の諸課題を解決し、地域バイオマス資源をペレット化によって得られる。機能性物質の天然資源を活用することにより地域事業を育成し、さらに地域の産業開発となる。【選択図】なし【特許請求の範囲】
【請求項１】
バイオマス資源をペレット化し、木質、籾殻、植物等の循環活用とその製造方法。
【請求項２】
バイオマス資源をペレット化し、単一製造、複合製造から得た化学組成、機能性の各種バイオマス資源の変換技術を特徴とする。
【請求項３】
多種ペレット化製造が得られることを特徴とする。
【請求項４】
請求項１，２，３、に含有反応させることにより、同等の成果を得ることを特徴とした製造方法であり、趣旨を逸脱しない範囲の変更は、本発明に含まれる。
【発明の詳細な説明】
【技術分野】
【０００１】本発明は、廃棄物発生バイオマス資源のペレット製造物にすることの組成の類似、機能性の類似から、共通の製造技術で同機能の汎用期待ができる。
【背景技術】
【０００２】バイオマス資源の処理においては、高温高圧処理、ガス化、微生物利用等において高度な技術開発が導入されている。しかし、効率面においては評価されるが、高額な設備とランニングコスト面においての経済、実用面では難点があり、研究の進展が期待されている。
【発明の開示】
【発明が解決しようとする課題】
【０００３】前記、従来のバイオマス処理は、経済的、実用的な技術とは言い切れないままに用いられてきたが、技術のプロセスから得られるバイオマス主生成物の林産廃棄物、農産廃棄物など、バイオマスの資源処理を高額の容器、設備投資を要しないペレットの汎用処理方法の見直しこそ原理に適している。【０００４】本発明は、このような実状に鑑みなされたものであり，ペレット技術開発でもって本課題を解決し、その提供を目的とする。
【課題を解決するための手段】
【０００５】課題を解決するための技術は、地球温暖化対策の一環であるところの炭酸ガスの発生削減と廃棄物リサイクル促進の循環型社会の構築と推進戦略を図ったことによって合理的構成が得られ、この発明に到達した。
【発明の効果】
【０００６】以上のように、本発明技術は、廃棄物系バイオマスの農産物残渣、林産廃棄物を無駄なく発揮され環境への影響を低減するのを目的とする。よって、地域資源の利用技術となり地域産業に貢献をする。【０００７】ペレット化技術は、原理が簡単で経済的にも技術的にもバイオマスエネルギーの変換技術としての汎用から世界の製造方法といえる。【０００８】農産物の加工過程での廃棄物のペレット処理、農産物の収穫の時に発生すバイオマスは大量発生する。これらは安定、安全、しかも、経済性に優れた実用用材ができる。しかも、天然資源の活用から安定供給ができる、ペレット処理は、規模の自在設定ができることを特徴とする。
【発明を実施するための最良の形態】
【０００９】本発明は、バイオマス資源を短時間で、効率よくペレット製造することの有効性、経済性に変換する技術として適している。ペレット処理においてのプロセスで得られるペレットの目的汎用性において、多様な機能を有する物質が含有している。【００１０】上記技術でもってのバイオマスペレット物質の製造方法は容易に出来ることを特徴とした。
【産業上の利用可能性】
【００１１】本発明の、バイオマスペレット技術は、ペレット処理によって得られる機能性バイオマス資源の有効成分への変換技術を提供するものであり、物理・化学資源への変換技術、生物・化学的変換との製造方法、経済的に変換する技術、合理化ならびに作業能率に関する。
(57)【要約】      （修正有）【課題】パターによるショットで、出来るだけ正確さをもとめようとするためのスピンの量を調整する構造となったパターを提供する。【解決手段】ゴルフ用パターであって、垂直線に対して下向き角度５〜１５度であるフェース２を備え、ソールから２６〜３２ｍｍの高さのフェース上部側に補助プレート４を設けたことを特徴とする。該補助プレート４および該フェース２は、その長手方向の中心から両方向に曲率半径４〜６ｍの凹曲面としたものである。【選択図】図１
2011055854.tif 000002
【特許請求の範囲】
【請求項１】
ゴルフ用パターであって、垂直線に対して下向き角度５〜１５度であるフェースを備え、ソールから２６〜３２ｍｍの高さのフェース上部側に補助プレートを設けたことを特徴とするパター。
【請求項２】
補助プレートは、その長手方向の中心から両側に凹面となる曲率半径４〜６ｍの凹曲面としたことを特徴とする請求項１記載のパター。
【請求項３】
フェースは、その長手方向の中心から両側に凹面となる曲率半径４〜６ｍの凹曲面としたことを特徴とする請求項１又は２のいずれかに記載のパター。
【発明の詳細な説明】
【技術分野】
【０００１】
本発明はゴルフ用パターに関する。パターヘッドはフェース２、補助プレート４、シャフト１、バランスウエート３、よりなる。  
【背景技術】
【０００２】
従来のパターヘッドの構想でもよりよいショットを得るため数多くの発明や考案がなされ、ゴルフ競技の発展に寄与してきた。それらの考案は主なものを大別するとバランスウエートの取り方、パターの形についての工夫例えば（実開平７-５６６０号）、長尺シャフトの考案などである。
【先行技術文献】
【特許文献】
【０００３】
【特許文献１】実開平７-５６６０号公報
【発明の概要】
【発明が解決しようとする課題】
【０００４】
より正確なパットのショットを求めること。パターによるショットで、出来るだけ正確さをもとめようとするためのスピンの量を調整する構造となったパターは存在しなかった。
【課題を解決するための手段】
【０００５】
本発明は、ゴルフ用パターであって、垂直線に対して下向き角度５〜１５度であるフェースを備え、ソールから２６〜３２ｍｍの高さのフェース上部側に補助プレートを設けたことを特徴とするパターである。
又、第２の発明は、補助プレートは、その長手方向の中心から両方向に曲率半径４〜６ｍの凹曲面としたものである。第３の発明は、フェースは、長手方向の中心から両方向に曲率半径４〜６ｍの凹曲面としたものである。
本発明ではパターヘッドはフェース２、補助プレート４、シャフト１、バランスウエイト３よりなる。本発明のパターでは補助プレート４を設定しているが、これはパットのショットをより正確にするため用いるもので説明図には５ｍｍ
角のものを提示したが丸棒でも良く、また三角形の棒でも良い。これらの補助プレートを用いるとゴルフボール表面の狙った位置をヒットすることが出来、ボールに計画した回転を与えやすい。  またプレートの取り付け位置はフェースの上端に設定したが上端より下の位置にもうける変更もありうる。
フェース２の打球面は垂線に対して下向きである角度５〜１５度に設定する。これは補助プレートとの関係と同時にボールをヒットする時の利便を考慮しての設定である。この角度が大であれば補助プレートがボールに当たってアドレスが難しくなり、角度が小であれば補助プレートを大きくしないとアドレスが不便となる。これら部材や考案、寸法角度は本提案の中では当然ひとつの器具として、または機材として働き互いに関連し合っている。  
【発明の効果】
【０００６】
パターをこの構造とすることでパッテイングの際にスピンの量をコントロールすることが可能となる。
【０００７】
これらの設定から更にヘッドとボールとの関係を考慮して、補助プレート４と、フェース２について、夫々その長手方向の中心から両方向に２５ｍｍづつ計５０ｍｍ巾に対して凹面となるように曲率半径４〜６ｍの凹曲面とする。その加工数量〔数字〕は半径４〜６ｍの円周厚み〔１ｍｍ〜３ｍｍ〕とする。図２参照。
【０００８】
ボールの表面の頂点６とボールと補助プレート４との接点５は６５度=６５/９０=０．７２の点を示す。これらの数字からショットの方向や、加えられる力により多彩なショットの変化が現れる。
【図面の簡単な説明】
【０００９】
【図１】ボールと本発明品のパターとの接触状態を示す様式図。
【図２】本発明品のパターヘッド部の斜視図。
【発明を実施するための形態】
【００１０】
構造は図２に示すようにシャフト１の下端部にパターヘッドを装着する。ヘッドは長さ１００ｍｍ巾２５ｍｍのフェースとし、ソールから３０ｍｍのフェース上部に補助プレート４の上端が位置するように５ｍｍ角棒の補助プレート４を設けた。
【実施例】
【００１１】
ヘッドに用いる金属はステンレスまたは真鍮若しくはジュラルミンでよく補助プレートについては対磨耗を考慮することが望ましい。
補助プレート４はパットのショットをより正確にするため用いるもので図には５ｍｍ角のものを提示したが丸棒でも良く、また三角形棒でも良い。これらの補助プレートを用いるとゴルフボール表面の狙った位置をヒットすることが出来、ボールに計画した回転を与えやすい。
【００１２】
またプレートの取り付け位置はフェースの上端に設定したが、検討により下の方に設けるという変更はありうる。
図１では補助プレートはパターのフェースの長手方向中央部約５０％の長さに渡りに取り付けられているが、１００％全長の長さにわたることも可能である。
本発明のパターは垂線に対して下向きである角度５〜１５度であるフェースを備えソールから２６〜３２ｍｍの高さのフェースに補助プレートを設ける。これはボールとパターとの関係と同時にボールをヒットするときの利便を考慮しての設定である。この角度が大であれば補助プレートがボールに当たってアドレスが難しくなり、角度が小であれば補助プレートを大きくしないとアドレスが不便となる。またパターのショットによってはこれまでの考察とは別に下向きの角度が有利となることがある。
これらのフェースや補助プレートの加工及び設定は別製作して後付けするのは量産にはしばしば用いられる手法である。
【産業上の利用可能性】
【００１３】
ゴルフ用品の産業界において活用できる。
【符号の説明】
【００１４】
０  ボールの中心
１  シャフト
２  フェース
３  バランスウエート
４  補助プレート
５  ボールと補助プレートとの接点  
６  ボールの頂点
７  パターフェースの中央線、  
８  ７から２５ｍｍの線
９  補助プレートの長手方向の中心    
【図１】
2011055854.tif 000003
【図２】
2011055854.tif 000004
(57)【要約】      （修正有）【課題】魚を集める性能が優れた、軽量で取扱いが簡単な漁礁を提供する。【解決手段】廃貝殻、廃セッコウ、接着剤を主成分とする透水管や透水板よりなる漁礁。【選択図】なし【特許請求の範囲】
【請求項１】
廃貝殻、廃セッコウ、接着剤を主成分とする透水管や透水板を漁礁として使用する方法
【発明の詳細な説明】
【技術分野】
【０００１】本発明は公知の透水管や透水板を新規の漁礁として使用することに関する。
【背景技術】
【０００２】従来使用されている漁礁は、コンクリート製の為高価であり、また非常に重いなど取り扱いに問題があった。
【発明の概要】
【発明が解決しようとする課題】
【０００３】本発明は表面積の大きい透水管や透水板を漁礁に使用することを目的とする。
【課題を解決するための手段】
【０００４】現在処分が非常に困難な、大量の廃貝殻や廃石膏を主成分とした材料を用い、接着剤を用い結合させ、透水管や透水板を製造することにある。
【発明の効果】
【０００５】本発明におり、従来の漁礁に較べて魚を集める効果が上昇する。又、廃貝殻や廃石膏を用いる為に重量が既存のコンクリート製より軽くなり、取扱いが容易になる。さらに、処分が非常に困難である廃貝殻や廃石膏の再利用が可能となる。
【発明を実施するための最良の形態】
【０００６】本発明で使用する透水管や透水板は従、来の公知の方法で製造できる。
製造する透水管や透水板は海中に存在させるため、一定の重さ、強度が必要である。
また、廃石膏から溶出される少量の有害イオン、有機物や石膏のバクテリアにより発生する硫化水素は、少量の鉄粉を添加しておき硫化鉄として固定化する。【０００７】透水管はそのどちらからの端を封じることにより魚を集めることができる。また、本発明の漁礁は、海水に垂直に投入するのが効率的である。
【実施例１】
【０００８】下記は本発明に用いた条件である。【０００９】−材料
１．ポリ石膏：８５パーセントから９０パーセント
２．不飽和ポリエステル：１０パーセントから１５パーセント
−物性
１．曲げ強度：０．２〜０．５ｋｇｆ／平方ミリメートル
２．用途：漁礁
３．表面凹凸：粒子３〜５ミリメートルのポーラス表面
４．耐熱：４０度
５．耐食性能：耐酸・弱アルカリ許容【００１０】表２は本発明に用いた透水管である。
【表２】
2011055815.tif 000002
【００１１】表２で示した透水管を海中に投入し、漁礁を構築したところ、魚が集まってきた。
【図面の簡単な説明】
【００１２】
【図１】図１は本発明の漁礁に利用する透水管
【符号の説明】
【００１３】１  内部凹凸
２  φ２５ミリメートルからφ１００ミリメートルの４種類
３  内部凹凸棚
【手続補正書】
【提出日】平成21年12月22日(2009.12.22)
【手続補正１】
【補正対象書類名】明細書
【補正対象項目名】００１２
【補正方法】削除
【補正の内容】
【手続補正２】
【補正対象書類名】明細書
【補正対象項目名】００１３
【補正方法】削除
【補正の内容】
(57)【要約】      （修正有）【課題】鉢植え植物への給水の手間を軽減できる植物栽培用保水具を提供する。【解決手段】ウレタンフォーム、メラミンフォーム、ＰＶＡフォームなどの合成樹脂発泡材により立方体状、球体状、円板状に形成され、植木鉢５の内側かつ、土４の上に置かれる親水性、保水性の高い植物栽培用保水具。【選択図】図１
2011055817.tif 000002
【特許請求の範囲】
【請求項１】
鉢植え植物の植木鉢の内側で、土の上に置き敷きを特徴とした親水性、保水性のある発泡材で作られた植物栽培用保水具である。
【発明の詳細な説明】
【技術分野】
【０００１】  本発明は、鉢植え植物への給水の手間を軽減し、給水を忘れてもある程度の時間自然に給水できるように改善した植物栽培用保水具に関するものである。
【背景技術】
【０００２】  鉢植えなどの保水を目的とした例として、特許文献１や実用新案文献１に開示されているものがある。
【特許文献１】  特開  ２００７−９７５５６号広報
【実用新案文献１】
実用新案公開  平６−６４４３４号広報
【発明の開示】
【発明が解決しようとする課題】
【０００３】  鉢植えの植物の給水手間を軽減し、水分不足による立ち枯れを少なくするものとして、鉢植えの土壌に保水材を埋めたり、混入させたりするものは市場に出回り、一般に知れ渡っている。しかし、土から手を加えなければならないため、手が汚れるうえ、配合具合に理解も必要であり、手間がかかるという課題がある。【０００４】  また、ポンプ式の給水装置も存在するが、高価であり、室内の観葉植物などの場合は、部屋の雰囲気を台無しにするという見かけ上、体裁がわるいという課題がある。【０００５】  さらに、使用済みのペットボトルに水をいれ、ペットボトルキャップに変えて、取り付けるノズル式給水具も利用されているが、ノズルを差し込んだ植木鉢の中に一気に水が流れ落ちたり、先端が詰まって水が給水できないなどの信頼性に欠けるという課題もある。
【課題を解決するための手段】
【０００６】  この課題を解決するために、本発明植物栽培用保水具は、保水材を親水性の高い発泡材で形成し、植木鉢の土の上に置き敷きタイプとした。図面１は植木鉢の土の上で、植物の根元に配置した植物栽培用保水具である。この状態で水をかけることで、植木鉢の中の土とともに親水性の高い発泡材からなる植物栽培用保水具も十分に水を吸収し、時間の経過とともに植木鉢の土の上に水を滴り落とすことになる。鉢植えのなかの土の配合を変えることなく、手を汚さず、手間いらずで、保水効果を実現可能である。【０００７】  本発明植物栽培用保水具は、ウレタンフォーム、メラミンフォーム、ＰＶＡフォームなどの合成樹脂の発泡材で作られているため、安価に生産が可能であり、植木の種類に調和した形状のデザインも可能ある。【０００８】  さらに、植木鉢の土の上に供給する水分も発砲材の素材、形状、体積と発泡倍率によって、把握することが可能であり、安定した信頼性の高い効果が期待できる。
【発明を実行するための最良の形態】
【０００９】  本発明植物栽培用保水具を実行するための最良の形態として、図１は、鉢植え観葉植物に給水する場合の断面図である。立方体状植物栽培保水具７を植木鉢５の内側かつ、土４の上に置き、ジョーロ６で給水をする。水は土４と特に親水性の高い発泡材、ＰＶＡフォームでつくられた立方体状植物栽培用保水具に浸透する。立方体状植物栽培用保水具は、気泡内に水を閉じ込め、少しずつ水を放出する性質を有している。
【００１０】  図２は球形をした植物栽培用保水具の側面図である。この植物栽培用保水具はすでに十分に水を含んでいる状態である。水は重量があるため、徐々に球体の下部に落ちて行き、水滴９となり溜る、やがてしずく１０となり、引力によって落ちて行く。この性質を活用し、保水しながら、時間をかけて放水することで、給水手間を軽減し、植物の立ち枯れしづらく工夫した植物栽培用保水具である。
【００１１】  図３は、球状の植物栽培用保水具を植木鉢のなかに４個配置した斜視図である。また、図４は、円板状の植物栽培用保水具をセットする場合の斜視図である。円板状の植物栽培用保水具１１は中心に植物幹２を通すことができる大きさの貫通穴１１ａが開いており、スリット１１ｂを横に広げて通す構造である。円板状植物栽培保水具は、矢印方向に落とし込み、土４と接するようにセットして使用する。
【産業上の利用可能性】
【００１２】  本発明に係わる植物栽培用保水具は、工業的に量産することが可能であるため、産業上の利用可能性を有する。
【図面の簡単な説明】
【００１３】
【図１】  鉢植え観葉植物に給水する場合の断面図である。
【図２】  十分に吸水した球状植物栽培用保水具の側面図である。
【図３】  球状植物栽培用保水具を４個セットした鉢植え観葉植物の斜視図である。
【図４】  円板状植物栽培用保水具を鉢植え観葉植物にセットする場合の斜視図である。
【符号の説明】
【００１４】  １  植物の葉
２  植物の幹
３  植物の根
４  土
５  植木鉢
６  ジョーロ
７  立方体状植物栽培用保水具
８  十分に水を含んだ球状植物栽培用保水具
９  水滴
１０  しずく
１１  円板状植物栽培用保水具
１１ａ  貫通穴
１１ｂ  スリット
【図１】
2011055817.tif 000003
【図２】
2011055817.tif 000004
【図３】
2011055817.tif 000005
【図４】
2011055817.tif 000006
(57)【要約】【課題】  もち米とブドウなどの果汁の用途を拡大し消費量を増やすと共に、ブドウ等の果汁の色・味・香りの特徴を活かした新たなもち米加工品の製造方法を提供する。【解決手段】  果汁を入れた容器にもち米を５〜１２時間程度浸漬する第１の工程と、第１の工程で果汁に浸漬されたもち米を１５〜４０分程度蒸す第２の工程と、第２の工程でできた蒸米に対し果汁をなじませるため、果汁を振り掛け、かき混ぜて、その後１０〜３０分程度蒸す第３の工程と、第３の工程でできた蒸米をそのまま又は潰して適度の大きさに分ける第４の工程と、を含むもち米加工品の製造方法。【選択図】なし【特許請求の範囲】
【請求項１】
果汁を入れた容器にもち米を５〜１２時間程度浸漬する第１の工程と、前記第１の工程で果汁に浸漬されたもち米を１５〜４０分程度蒸す第２の工程と、前記第２の工程でできた蒸米に対し果汁をなじませるため、果汁を振り掛け、かき混ぜて、その後１０〜３０分程度蒸す第３の工程と、前記第３の工程でできた蒸米をそのまま又は潰して適度の大きさに分ける第４の工程と、を含むもち米加工品の製造方法。
【請求項２】
前記第４の工程でできた蒸米をそのまま又は潰して適度の大きさに分けたものの中に餡を包み込む第５の工程を含むことを特徴とする請求項１記載のもち米加工品の製造方法。
【請求項３】
前記第１及び第２の工程で使用する果汁は、ストレート果汁１００％の果汁であることを特徴とする請求項１記載のもち米加工品の製造方法。
【発明の詳細な説明】
【技術分野】
【０００１】  本発明は、ブドウ等の果汁にもち米を浸漬した後に加熱調理し、果汁の色・味・香りを残したもち米加工品の製造方法に関する。
【背景技術】
【０００２】  もち米の利用の多くは、蒸して餅又はおこわに加工して食することが一般的である。餅として食する場合は、そのまま食したり、きな粉、黒蜜、蜂蜜、砂糖などにつけて食する。または、生地に餡を包み入れて形成した餅菓子、例えば大福餅、桜餅などにして食する。おこわとして食する場合は、赤飯、栗おこわ、山菜おこわなどとして食する（例えば、特許文献１，２参照）。一方、ブドウなどの果実は、生で食べる他はジュースに加工されるが、ジュースは通常そのまま飲用される場合が殆どである。【０００３】  もち米も果実も従来の飲食の仕方にあっては、両者とも消費拡大には限界があるため、それぞれの特性を活かした加工品の開発が望まれていた。
【先行技術文献】
【特許文献】
【０００４】
【特許文献１】  特開２００２−５１７１３号公報
【特許文献２】  特開２００１−３２１０９７号公報
【発明の概要】
【発明が解決しようとする課題】
【０００５】  本発明は、もち米とブドウなどの果汁の用途を拡大し消費量を増やすと共に、ブドウ等の果汁の色・味・香りの特徴を活かした新たなもち米加工品の製造方法を提供することを目的とする。
【課題を解決するための手段】
【０００６】  上記目的を達成する本発明のもち米加工品の製造方法にあっては、果汁を入れた容器にもち米を５〜１２時間程度浸漬する第１の工程と、前記第１の工程で果汁に浸漬されたもち米を１５〜４０分程度蒸す第２の工程と、前記第２の工程でできた蒸米に対し果汁をなじませるため、果汁を振り掛け、かき混ぜて、その後１０〜３０分程度蒸す第３の工程と、前記第３の工程でできた蒸米をそのまま又は潰して適度の大きさに分ける第４の工程と、を含むことを特徴とする。【０００７】  また、第４の工程でできた蒸米をそのまま又は潰して適度の大きさに分けたものの中に餡を包み込む第５の工程を含むことを特徴とする。【０００８】  また、第１及び第２の工程で使用する果汁は、ストレート果汁１００％の果汁であることを特徴とする。
【発明の効果】
【０００９】  本発明の製造方法にあっては、果汁にもち米を十分浸漬すると共に、浸漬し蒸したもち米に果汁を振り掛け、かき混ぜて果汁を十分なじませることにより、果汁の色・味・香りを残したもち米加工品ができる。特に、果汁として、ストレート果汁１００％の果汁を使用することで、より果実本来の色・味・香りを活かした加工品を製造することができる。
もち米と果汁、両方に付加価値をつけた新たな商品が開発でき、消費拡大に繋げることができる。
【発明を実施するための形態】
【００１０】  以下、本発明のもち米加工品の製造方法の実施形態を説明する。
【００１１】  第１の工程：果汁を入れた容器にもち米を５〜１２時間程度浸漬する。浸漬時間としては、一晩程度（６〜９時間程度）が好ましい。この際、もち米は完全に果汁に浸る状態にすることが重要である。この工程により、もち米に果汁の色・味・香りがしっかり浸み込むことになる。
【００１２】  第２の工程：第１の工程で果汁に浸漬されたもち米を１５〜４０分程度蒸す。蒸す時間としては２０〜３０分程度が好ましい。
【００１３】  第３の工程：第２の工程でできた蒸米に対し果汁をなじませるため、果汁を振り掛け、かき混ぜて、その後１０〜３０分程度蒸す。蒸す時間としては２０分程度が好ましい。この工程により、もち米の色が濃く艶やかになり、味・香りが深まりまろやかになる。
【００１４】  第４の工程：第３の工程でできた蒸米をそのまま又は潰して適度の大きさに分ける。尚、潰す場合の潰し具合は、好みに応じて加減可能である。
【００１５】  第５の工程：第４の工程で分けたものの中に、予め用意しておいた餡を包み込んで完成である。
【００１６】  第４の工程で適度な大きさに分けたものには、第５の工程のように、中に餡を包み込んでも良いが、包み込まずそのまま好みの大きさ・形状にして完成としても良い。その場合は、きな粉、黒蜜、蜂蜜、砂糖などにつけて食することができる。
【００１７】  第１、第３の工程で使用する果汁は、ブドウ、ヤマブドウ、リンゴ、ナシ、ブルーベリー、みかん、トマトなどの、どのような果汁でも使用可能である。果汁としては、ストレート果汁、濃縮還元果汁、ブレンド果汁などが適用可能であるが、果汁本来の色・味・香りをできるだけ残すためにはストレート果汁１００％の果汁が好ましい。ストレート果汁１００％の果汁としては、完成した加工品の色、味・香りを踏まえてブドウジュースが好ましい。
以下、本発明の実施例について説明する。
【実施例】
【００１８】  もち米（岩手県紫波郡紫波町産のヒメノモチ）２．５合を、果汁（岩手県紫波郡紫波町赤沢産のキャンベルストレート果汁１００％）４５０ｃｃに１晩浸す（第１の工程）。次に、果汁を切ったもち米を２０〜３０分位蒸し（第２の工程）、蒸米をボールに移し変え、同じ果汁をなじませるため、果汁を振り掛け、かき混ぜて、更に２０分蒸す（第３の工程）。蒸米を２０等分（第４の工程）し、手のひらをつぼめるようにして、中に餡を包み込むと完成である（第５の工程）。【００１９】  この製造方法により、もち米にキャンベルの濃く鮮やかな紫色を浸み込ませることができ見た目に色鮮やかである。また、食するとキャンベルの風香味と餡の甘味により、従来にない新規な味の食品ができた。
(57)【要約】【課題】  犬の散歩の際、引き綱を腰につなぐ事で手を自由にした、犬の散歩用引き綱補助具を提供する。【解決手段】  サスペンダータイプのクリップは第一プレート部材と第二プレート部材でズボンの腰回り部分を挟んで、操作レバーで締め付け固定させ、このクリップの第二プレート部材の背面中央の位置に、金属ループを取り付け、そこに伸縮性のあるベルトを通し固定し、ベルトのもう片方の先端に、引き綱持ち手を通すためのリングを取り付けたことを特徴とする犬の散歩用引き綱補助具。【選択図】図１
2011055824.tif 000002
【特許請求の範囲】
【請求項１】
サスペンダータイプのクリップは、第一プレート部材と第二プレート部材でズボンの腰回り部分を挟んで、操作レバーで締め付け固定させ、このクリップの第二プレート部材の背面中央の位置に、金属ループを取り付け、そこに伸縮性のあるベルトを通し固定し、ベルトのもう片方の先端に、引き綱持ち手を通すためのリングを取り付けたことを特徴とする犬の散歩用引き綱補助具。
【発明の詳細な説明】
【技術の分野】
【０００１】  本発明は、犬の散歩の際、引き綱を腰につなぐ事で手を自由にした、犬の散歩用引き綱補助具に関するものである。
【背景技術】
【０００２】  従来の犬の散歩は、片手で引き綱を握り、片手でフンの始末をする道具を持って歩いていた。
【発明の概要】
【発明が解決しようとする課題】
【０００３】  そのために、次のような問題点があった。
（イ）フンの始末をする時は、両手を使うので、犬に逃げられることがあった。
（ロ）雨の日は、傘をさすので、より困難であった。
（ハ）腰にベルトを装着し引き綱につなぐ物もあるが、引き綱を買い換えたり、装着に時間がかかったり、保管場所に困る事があった。
本発明は、これらの問題点を解決しようとするものである。
【課題を解決するための手段】
【０００４】  サスペンダータイプのクリップは、第一プレート部材と，第二プレート部材で、ズボンの腰回り部分を挟んで、操作レバーで締め付け固定させ、このクリップの第二プレート部材の背面中央の位置に、金属ループを取り付け、そこに伸縮性のあるベルトを通し固定し、ベルトのもう片方の先端に、引き綱持ち手を通すためのリングを取り付ける。
以上を特徴とする犬の散歩用引き綱補助具である。
【発明の効果】
【０００５】  本発明は、従来のサスペンダータイプのクリップのベルト取り付け部分を、クリップ背面中央の位置に付け替え、伸縮性のあるベルトを取り付けることにより、ベルトを身体と垂直方向に引っ張った時、クリップにかかる力が弱まり、外れにくくなる。このベルトを犬の引き綱につなげば、散歩時は両手が使えるようになり、ズボン腰回り部分への装着、着脱が簡単で、現在使用中の引き綱がそのまま使え経済的である
また、保管場所は、引き綱に付けたままにしておけば不要であるので便利である。
【図面の簡単な説明】
【０００７】
【図１】本発明の斜視図
【図２】サスペンダータイプのクリップの開口を示す側面状態図
【図３】サスペンダータイプのクリップの閉口を示す側面状態図
【図４】サスペンダータイプのクリップの背面図
【図５】本発明の使用状態図
【図６】ズボン腰回り部分の拡大図
【発明を実施するための形態】
【０００８】以下、本発明の実施の形態を説明する。
（イ）サスペンダータイプのクリップ（１）の、第二プレイト部材（３）の背面中央の位置に金属ループ（７）を取り付け固定する。
（ロ）金属ループ（７）にベルト（８）を通し固定する。
（ハ）ベルト（８）のもう片方先端に、引き綱持ち手（１１）につなぐ、クリップ（１）が通り抜け出来る大きさのリング（９）を取り付ける。
本発明は、以上の構成からなるので、本発明を使用するときは、ベルト（８）を、引き綱持ち手（１１）に通し、片端に付いているクリップ（１）を、もう片端についているリング（９）に通し、引き綱持ち手（１１）に固定する。引き綱（１０）は犬の首輪（１２）につなぎ、クリップ（１）は図６のように、ズボン腰回り部分（５）に、金属ループ（７）が外側に、操作レバー（４）が身体側になるよう第一プレート部材（２）と第二プレート部材（３）で挟み、操作レバー（４）で締め付け固定する。
なお、ベルト（８）は、犬が引っ張った時に、引き綱持ち手（１１）に手が届く長さが良い。
【符号の説明】
【０００８】  １  サスペンダータイプのクリップ
２  第一プレート部材
３  第二プレート部材
４  操作レバー
５  ズボン腰回り部分
６  背面中央の位置
７  金属ループ
８  伸縮するベルト
９  リング
１０  引き綱
１１  引き綱持ち手
１２  犬の首輪
【図１】
2011055824.tif 000003
【図２】
2011055824.tif 000004
【図３】
2011055824.tif 000005
【図４】
2011055824.tif 000006
【図５】
2011055824.tif 000007
【図６】
2011055824.tif 000008
(57)【要約】【課題】少量の液体は量りにくく、大さじ小さじなどで量れば液がこぼれやすい。また、計量カップ、漏斗、複数の瓶の整理、収納は煩雑である。  本発明は、少量の液体が量れて、計量カップ、漏斗、複数の瓶を一つにまとめられる計量カップ付き瓶を提供する。【解決手段】計量カップ底面内側に円状の突起を設け、それに漏斗の先を固定すれば管状の計量容器になり、少量の液体を量ることができる。また、複数の瓶を縦に連結させるための連結蓋を設け、上から計量カップ、漏斗、瓶、連結蓋、瓶と重ねて、一つにする。【選択図】図１
2011088668.tif 000002
【特許請求の範囲】
【請求項１】
底面内側に円状の突起を設けた計量カップと、その突起で先を固定する漏斗と、複数の瓶を縦に重ねる計量カップ付き瓶。
【請求項２】
瓶と瓶が縦に重ねられるように、上段になる瓶の底部を支え受け、かつ、下段の瓶の蓋になる、連結蓋を設け、計量カップと漏斗と複数の瓶を重ねられる計量カップ付き瓶。
【発明の詳細な説明】
【技術分野】
【０００１】  本発明は、計量カップ及び漏斗と複数の瓶を重ねた調理具に関するものである。
【背景技術】
【０００２】  従来、醤油などの液体を大さじ小さじなどで量る場合は、液がこぼれて量りにくかった。また、従来の計量カップでは、微量の液体は目盛りの線まで届かずに量れなかった。
なお、計量カップに斜めの目盛りの線を引いたものが知られている。（特許文献１、２、３、４参照）。
なおまた、底の面積が狭い筒状のものが知られている。（特許文献５、６）。
なおまた、カップ内に各々の分量を量るための穴を設けたものが知られている。（特許文献７）。
また従来、調理の際、計量カップ、醤油などの調味料の瓶類が散らかり、整理が煩わしいものであった。
なお、瓶の蓋部に袋を付け、それで計量するものが知られている。（特許文献８）。
なお、瓶の蓋に計量カップを被せて固定するカバーが知られている。（特許文献９）。
また従来、瓶類が複数あるために、瓶類の整理、収納が煩雑であった。
なお、缶を上下直列に連結させるための接続品が知られている。（特許文献１０）。
【先行技術文献】
【特許文献】
【０００３】
【特許文献１】特許公開平１０−１９７３１２号
【特許文献２】特許公開２００３−５７０９０号
【特許文献３】特許公開２０００−８８６２６号
【特許文献４】実用新案公開平６−１８９２８号
【特許文献５】特許公開平８−１１９２９９号
【特許文献６】登録実用新案第３０１３６９６号
【特許文献７】特許公開２００５−１５３９３８号
【特許文献８】特許公開２００８−０４４６７０号
【特許文献９】特許公開２００９−０９６５２８号
【特許文献１０】実用新案公開平７−１９１４９号
【発明の概要】
【発明が解決しようとする課題】
【０００４】  少量の醤油などの調味料をさじで量るとこぼれ、計量カップでは微量な液体は目盛りの線まで届かない。また、調理時に液体調味料の瓶類と計量カップ等が散らかり、整理、収納が煩わしい。
本発明は、以上の問題点を解決するためになされたものである。
【課題を解決するための手段】
【０００５】  底面積が小さい管であれば少量の液体を量れるので、下部が管状である漏斗を利用し、漏斗に目盛りを入れる。しかし、漏斗は底がないので、計量カップに漏斗を重ねて、底を一体化する。また、計量カップの中で漏斗の先を固定するために、計量カップの底面内側の中央にストッパーとして円状の突起を付ける。以上の計量カップと漏斗を、整理、収納のために瓶の頭部に被せておく。
また、複数の調味料瓶をひとまとめにするために、瓶と瓶を縦に連結させる蓋を設ける。
蓋の上部は、上段の瓶の底部を支え受け、蓋の下部は、下段の瓶の蓋とする。
調理時以外のときは、上から、計量カップ、漏斗、一段目の瓶、連結の蓋、二段目の瓶、連結の蓋、三段目の瓶と重ねて、一本の筒のようにしておく。
以上の構成よりなる計量カップ付き瓶。
【発明の効果】
【０００６】  従来、少量の液体をさじで量るとこぼしやすかったが、本発明により、少量の液体を量りやすくすることができる。
また、計量カップ、漏斗、調味料の瓶類が、本発明により、ひとまとめにでき、整理、収納がしやすくなる。
【図面の簡単な説明】
【０００７】
【図１】本発明の斜視図
【図２】本発明の断面図
【図３】漏斗の斜視図
【図４】本発明の計量カップの斜視図
【図５】本発明の計量カップと漏斗の断面図
【図６】本発明の連結蓋部の斜視図
【図７】本発明の連結蓋部の断面図
【発明を実施するための形態】
【０００８】  以下、本発明の実施の形態を説明する。
（イ）計量カップ（１）の底面内側の中央に、漏斗（５）の先端を受け止める円状の突起、漏斗先止め（４）を設ける。
（ロ）一段目の瓶の上段瓶（７）と、二段目以下の複数の下段瓶（９）を設ける。
（ハ）上段瓶（７）と下段瓶（９）を連結させるために、連結蓋（８）を設ける。連結蓋（８）の上部は、上段瓶（７）の底部を受ける形状とし、その底部を支える。下部は、下段瓶（９）の蓋になるように、連結蓋仕切り板（１１）を設ける。また、連結蓋仕切り板（１１）の下面に突起を作り、連結蓋口止め（１２）を設け、下段瓶（９）の口を閉するものとする。さらに、連結蓋（８）の下部内側にネジ溝（１４）と、下段瓶（９）の上部にネジ山（１３）を設ける。
本発明は以上のような構造である。
本発明を使用するときは、上段瓶（７）、下段瓶（８）に液体を入れ、大さじ小さじ等で量るような少量の計量のは、計量カップ（１）に漏斗（５）を重ねて、漏斗（５）の先と計量カップ（１）の底を一致させれば、漏斗（５）に底ができ、少量の液体が漏斗（５）の先で量れる。
また、本発明は、上段瓶（７）下段瓶（９）とを連結させる連結蓋（８）で、上下の瓶をつなげる。それにより、上から、計量カップ（１）漏斗（５）上段瓶（７）連結蓋（８）下段瓶（９）と重ねれば、一本の筒のようになり整理、収納が簡便になる。
【符号の説明】
【０００９】（１）計量カップ（２）計量カップ目盛り（３）計量カップ注ぎ口（４）漏斗先止め（５）漏斗（６）漏斗目盛り（７）上段瓶（８）連結蓋（９）下段瓶（１０）上段瓶蓋（１１）連結蓋仕切り板（１２）連結蓋口止め（１３）下段瓶ネジ山（１４）連結蓋ネジ溝
【図１】
2011088668.tif 000003
【図２】
2011088668.tif 000004
【図３】
2011088668.tif 000005
【図４】
2011088668.tif 000006
【図５】
2011088668.tif 000007
【図６】
2011088668.tif 000008
【図７】
2011088668.tif 000009
(57)【要約】      （修正有）【課題】複数のスプレー缶を収納すると同時に携帯できるものがなかった。本発明は複数のスプレー缶を収納及び携帯することのできるスプレー缶ホルダーを提供する。【解決手段】複数の穴４のあいている板２と、穴のあいていない板３の２枚の板を、スプレー缶６を立てるのに適した程度の間隔をあけ、穴４のあいている板２を上の位置にし、穴のあいていない板３を下の位置にして、支柱１に水平に固定をし、支柱１の上端近くに取っ手５を設ける。【選択図】図１
2011088666.tif 000002
【特許請求の範囲】
【請求項１】
複数の穴のあいている板と、穴のあいていない２枚の板を、スプレー缶を立てるのに適した程度の間隔をあけ、穴のあいている板を上の位置にして、支柱に水平に固定をし、支柱の上端近くに取っ手を設けたことを特徴とする、スプレー缶ホルダー。
【発明の詳細な説明】
【技術分野】
【０００１】  本発明は、複数のスプレー缶を収納及び携帯する、スプレー缶ホルダーに関するものである。
【背景技術】
【０００２】  従来複数のスプレー缶を収納するものはあったが、それと共に携帯できるものはなかった。
【発明の概要】
【発明が解決しようとする課題】
【０００３】  従来、複数のスプレー缶を収納及び携帯できるものはなかった。その為複数のスプレー缶を、収納場所から使用場所へ持ち運ぶのが不便であった。
本発明は、以上の問題点を解決するためになされたものである。
【課題を解決するための手段】
【０００４】  複数の穴のあいている板と、穴のあいていない２枚の板を、スプレー缶を立てるのに適した程度の間隔をあけ、穴のあいている板を上の位置にして、支柱に水平に固定をし、支柱の上端近くに取っ手を設ける。
以上の構成よりなるスプレー缶ホルダー。
【発明の効果】
【０００５】  複数のスプレー缶を収納及び携帯できることによって、使用時の持ち運びに便利である。
【図面の簡単な説明】
【０００６】
【図１】本発明の斜視図
【発明を実施するための形態】
【０００７】  以下、本発明の実施の形態を説明する。
（イ）上板（２）と下板（３）の中心に支柱（１）を設ける。
（ロ）上板（２）と下板（３）はスプレー缶を立てるのに適した程度の間隔をあける。
（ハ）上板（２）には複数の穴をあける。
（ニ）支柱（１）の上端近くに取っ手（５）を設ける。
本発明は以上のような構造である。
本発明を使用するときは、上板（２）の穴にスプレー缶（６）を差し込んで使用する。
携帯時は取っ手（５）を待つ。
【符号の説明】
【０００８】（１）支柱、（２）上板、（３）下板、（４）穴、（５）取っ手、（６）スプレー缶
【図１】
2011088666.tif 000003
(57)【要約】【課題】    高齢者の不満の声のひとつに、ペットボトルキャップの開封困難がある。本発明は、小さな労力でキャップを開封する目的の補助具である。【解決手段】    軟質プラスチック樹脂を材料とした筒形状を特徴とし、内径の一部に開口部を設けて、その形状からペットボトルキャップに対して、垂直方向および水平方向いずれからでも装着できる機能と、視認性を求めている。また、装着を容易ならしめる為にその内径は、被装着部分であるペットボトルキャップよりやや大きく、かつ肉薄部分を設け、可撓性をさらに高め、比較的小さな握力でペットボトルキャップを把持、開封できる構造にしている。指の付け根で掴み廻すために指先への負担はない。【選択図】図１
2011088665.tif 000002
【特許請求の範囲】
【請求項１】
厚板状の軟質プラスチック材を切り抜き加工、あるいは軟質プラスチック材を射出成型して、ペットボトルキャップの開封を容易ならしめる目的で作られたペットボトルキャップオープナー。
【発明の詳細な説明】
【技術分野】
【０００１】      本発明は、ペットボトルキャップの開封を容易にする作用を持つ把持具に関するものである。
【背景技術】
【０００２】      近年、高齢者の増大に伴い、生活環境の変化と相まって、飲料用ペットボトルの開封困難を訴える声も高まっているが、この問題解決に資し、実用に耐え得る道具の提案は未だなされていない。
【先行技術文献】
【特許文献】
【０００３】
【特許文献１】特許公開２０００−３０９３９５
【特許文献２】登録実用新案第３１２８２０８号
【特許文献３】登録実用新案第３０８６６３１号
【発明の概要】
【発明が解決しようとする課題】
【０００４】  近年、急速に消費拡大したペットボトル入り飲料であるが、流通、衛生の面から大変便益をもたらす反面、そのキャップの開封困難については高齢者などへの配慮が行き届いているとは言い難い。そうした中、先行提案として、特許文献１、２、３があり、特許文献１の提案はペットボトルキャップの把持をキャップと把持具の凹凸による噛み合わせに求めているが、一般にペットボトルキャップの外周面の線条凹凸は同一規格では無いため、キャップに合わせたバリエーションの把持具が必要となり、実用性に難がある。一方、特許文献２の提案もその形状から嵌入の難しさを残している。また特許文献３の提案では、ペットボトルキャップ外周より小さめの内径を有したもので、その構造から嵌入に容易に設計すれば把持能力を低下させる不満が残り、またその外形や大きさから有用とは云い難い。
【課題を解決するための手段】
【０００５】  本発明は、上記した課題を解消する目的で創案されたもので、軟質プラスチック樹脂を材料とした筒形状を特徴とし、内径の一部に開口部を設けて、その形状からペットボトルキャップに対して、垂直方向および水平方向いずれからでも装着できる機能と、視認性を求めたものである。また、装着を容易ならしめる為にその内径は、被装着部分であるペットボトルキャップよりやや大きく、かつ肉薄部分を設け、軟質プラスチックと言う材料特性と相まって可撓性をさらに高め、比較的小さな握力でペットボトルキャップを把持、開封できる構造にしている。
【発明の効果】
【０００６】  本発明は、形状が至ってシンプルであり、よって嵌入、把持を容易にし、掌全体で掴み廻すために指先への負担は軽減される。また、キャップに合わせた溝を設けておらず、流通している大半のペットボトルに対応できる。
【図面の簡単な説明】
【０００７】
【図１】本体斜視図
【図２】ペットボトルキャップに装着した場合の概念図
【発明を実施するための形態】
【０００８】  本発明は、上述したように適度な柔らかさと可撓性を有する素材であれば特定のものに限定するものではない。また形状を限定するものではない。以下、具体的実施方法を述べる。
【実施例】
【０００９】  本発明は、手のひらに入る程の大きさで、厚みはペットボトルキャップの高さとほぼ同一程度としている。１１本体は軟質プラスチックで１３凹部と１４凸部を外周に持ち、かつ１５の側面開口部を持つ。１２嵌入部はペットボトルキャップよりやや大きめの内径を持ち、ペットボトルキャップに装着した後、指の付け根付近で掴み、開封作業を進める。この時、１５開口部が閉じる方向に形状を変えて１２嵌入部の内径が小さく変形しペットボトルキャップを把持するのである。
【産業上の利用可能性】
【００１０】  高齢者ができるだけ長く自立した時間を持てるよう、工夫や補助具で弱点をカバーしていただく。本発明はその日常生活の一助となる。
【符号の説明】
【００１１】１１本体
１２嵌入部
１３凹部
１４凸部
１５開口部
【図１】
2011088665.tif 000003
【図２】
2011088665.tif 000004
(57)【要約】【課題】車のシートベルトに取付ける収納ケースにおいて、シートベルトを収納する際の巻き取り障害を起こさない収納ケース。【解決手段】収納ケース１に取付けベルト６及び、背面に側面と下側をくり抜いた溝３を設け、該側面と下側をくり抜いた溝３の内部に、片側に設けた突起部４を設け可動を可能にする基部２を支点として設け、前記収納ケース１を取付けベルト６でシートベルト８に取り付け収納物７を差し込む事で前記突起部４がシートベルト８を圧着し取付けられるよう構成している。シートベルト８を収納する際は、収納物７を収納ケース１から取り出す事で、突起部４がフリーとなり、収納部に弛みなく収納される。【選択図】図２
2011088618.tif 000002
【特許請求の範囲】
【請求項１】
車のシートベルトやショルダーバッグ、或いはズボンのベルトなどに取り付けて使用する携帯電話、デジタルポータブルプレーヤ、カーナビ＆カーオーディオ用リモコン等を収納するケースにおいて、ベルトと接する側の一部をくり抜き、くり抜き時に分離されたパーツ、或いは新たなパーツを、くり抜いた元の部位に、前後に可動可能な状態で繋ぎ取り付けたことを特徴とした収納ケース。
【請求項２】
前記収納ケースにおいて、ベルトと接する側の一部に前後に可動可能な状態で繋がっているパーツの表裏、又は表裏のどちらか一方へ突起を設けたことを特徴とした請求項１記載の収納ケース。
【発明の詳細な説明】
【技術分野】
【０００１】本発明は携帯電話、デジタルポータブルプレーヤ、カーナビ＆カーオーディオ用リモコン等を収納するケースに関するものである。
【背景技術】
【０００２】従来から携帯電話、デジタルポータブルプレーヤ等を収納し、ズボンのベルトへ取り付けて使用する収納ケースは存在したが、使用時の汎用性に乏しく、使用形態が限定的であった為、さして普及するまでには至らなかった。特に車のシートベルトやショルダーバッグベルトの任意の位置に取り付け、固定も簡単に出来るものはなかった。
【発明の概要】
【発明が解決しようとする課題】
【０００３】前記携帯電話又はデジタルポータブルプレーヤ及びカーナビ＆カーオーディオ用リモコン等の収納ケースを、車のシートベルトへ装着使用する時以外は特段問題にならないが、車のシートベルトへ装着使用する際に、支障となる点に特に留意して考案したものである。
降車時に体からシートベルトを外すと、通常シートベルトは全て巻き取られるが、収納ケースをシートベルトへしっかりと装着すると、固定する位置によってはシートベルト収納時に、該収納ケースがシートベルト収納部入り口に当り、巻取りの障害となりシートベルトの一部が巻き取られずに弛んでしまい、該シートベルトが車外へはみ出すなどしてドアを閉めた時、挟まるなどの不具合を生じる場合がある。
【課題を解決するための手段】
【０００４】本発明は請求項１及び２に記載の通り、シートベルトと接する側の一部に前後に可動可能な状態で繋がっている部分の表裏、又は表裏のどちらか一方へ接する側の一部へ突起を設けることにより、収納ケースに携帯電話やデジタルポータブルプレーヤ、カーナビ＆カーオーディオ用リモコン等を差し込むと、突起部がシートベルト側へ押されることと同時に突起部がシートベルト圧着され、固定位置からずれ憎くなる。逆に前記携帯電話やデジタルポータブルプレーヤ、カーナビ＆カーオーディオ用リモコン等を収納ケースから引き抜くと、シートベルトへ圧着されていた突起部が開放されフリーとなるので、シートベルト収納時にベルト収納部に収納ケースが当たっても抵抗が無いので、シートベルトは完全に巻き取られ、該シートベルトの弛むのを防げる。
【発明の効果】
【０００５】本発明の収納ケースを、シートベルトに取り付けた後任意の位置に移動させ、収納物を該収納ケースに差し込む事により前記シートベルトに固定される。
又シートベルト収納時は、収納物を前記収納ケースから取り出しシートベルトを収納する事により、シートベルトは弛む事なく収納部に回収される。
前記の通り、収納物を入れた収納ケースの任意の位置への取付け、及びシートベルトの回収が容易に出来る利点がある。
【図面の簡単な説明】
【０００６】
【図１】収納ケースの構成を示す斜視図。
【図２】収納ケースの実施を示す縦断面図。（実施例１）
【図３】収納ケースの実施を示す縦断面図。（実施例１）
【図４】収納ケースの実施を示す縦断面図。（実施例２）
【図５】収納ケースの実施を示す縦断面図。（実施例２）
【発明を実施するための形態】
【０００７】車のシートベルトに装着した収納物を入れた収納ケースが、常に使用する必要な位置に移動が出来、又収納物を収納ケースから取り出しシートベルトを収納すると、該シートベルトは収納ケースの抵抗を受ける事なく収納部に完全に巻き取られ弛みが出来ない事を実現した。
【実施例】
【０００８】本発明の実施例を図２〜図５によって説明する。
収納ケース１を取付けベルト６でシートベルト８に取り付け前記収納ケース１に収納物７を差し込むと、側面と下側をくりぬいた溝３によって構成された片側に設けた突起部４が可動を可能にする基部２を支点として動作しシートベルト８に圧着し取付けられる。
シートベルト８を収納の際は、収納物７を収納ケース１から取り出す事により突起部４がフリーとなりシートベルト８に掛かっていた該片側に設けた突起部４の圧着がなくなり収納部に収納される。【０００９】図４及び図５に記載の実施例も前記と構成は変わらないが、両側に設けた突起部５を設ける事により、収納物７を収納ケース１に差し込み後にシートベルト８に取付けベルト６で取り付けることにより、シートベルト８を収納の際は、該シートベルト８と両側に設けた突起部５の片側の空間が広くなるため、より効果的なシートベルト８の収納が出来る。
【符号の説明】
【００１０】１：収納ケース
２：基部
３：側面と下側をくり抜いた溝
４：片側に設けた突起部
５：両側に設けた突起部
６：取付けベルト
７：収納物
８：シートベルト
【図１】
2011088618.tif 000003
【図２】
2011088618.tif 000004
【図３】
2011088618.tif 000005
【図４】
2011088618.tif 000006
【図５】
2011088618.tif 000007